(57)【要約】【課題】  横幅を狭くしても、音響変換効率を高めることのできる平面表示機器用スピーカ装置を提供する。【解決手段】  スピーカ装置１５は、平面表示機器１０の背面側に配置したスピーカユニット１６と、スピーカユニット１６から放音された音を取り込む取込口部１４ｃと、平面表示機器１０前面に隣接した開口部１８であって、取り込まれた音を放音する開口部１８とを有するホーン１７と、を備えるものである。【選択図】  図５
2006237826.tif 000002
【特許請求の範囲】
【請求項１】
平面表示機器の背面側に配置したスピーカユニットと、
前記スピーカユニットから放音された音を取り込む取込口部と、前記平面表示機器前面に隣接した開口部であって、取り込まれた前記音を放音する当該開口部とを有するホーンと、
を備えることを特徴とする平面表示機器用スピーカ装置。
【請求項２】
請求項１に記載の平面表示機器用スピーカ装置において、
前記ホーンは、前記平面表示機器の背面側に設けられたことを特徴とする平面表示機器用スピーカ装置。
【請求項３】
請求項１に記載の平面表示機器用スピーカ装置において、
前記ホーンは、略三角形形状であることを特徴とする平面表示機器用スピーカ装置。
【請求項４】
請求項１に記載の平面表示機器用スピーカ装置において、
前記ホーンの開口部は、スリット状に形成したことを特徴とする平面表示機器用スピーカ装置。
【請求項５】
請求項１又は４に記載の平面表示機器用スピーカ装置において、
前記ホーンの開口部は、前記平面表示機器前面の左右及び上下の少なくとも一方に隣接して配置したことを特徴とする平面表示機器用スピーカ装置。
【請求項６】
請求項１に記載の平面表示機器用スピーカ装置において、
前記スピーカユニットは、前記平面表示機器のリアボンネット内面に取り付けたことを特徴とする平面表示機器用スピーカ装置。
【請求項７】
請求項６に記載の平面表示機器用スピーカ装置において、
前記リアボンネットは、前記ホーンの一部を形成していることを特徴とする平面表示機器用スピーカ装置。
【請求項８】
請求項１に記載の平面表示機器用スピーカ装置において、
前記スピーカユニットは、前記平面表示機器の背面側における前記ホーン外面に取り付けたことを特徴とする平面表示機器用スピーカ装置。
【請求項９】
請求項１に記載の平面表示機器用スピーカ装置において、
前記スピーカユニットは、低域用のスピーカユニットと中高域用のスピーカユニットを備え、前記低域用のスピーカユニットは、前記平面表示機器のリアボンネット内面及び前記平面表示機器の背面側における前記ホーン外面の一方に取り付け、前記中高域用のスピーカユニットは、前記平面表示機器のリアボンネット内面及び前記平面表示機器の背面側における前記ホーン外面の他方に取り付けたことを特徴とする平面表示機器用スピーカ装置。
【請求項１０】
請求項１に記載の平面表示機器用スピーカ装置において、
前記スピーカユニットは前記平面表示機器の背面側の略中央部に設けられ、１つの前記取込口部から前記平面表示機器の左右及び上下の少なくとも一方に延びる２つの前記ホーン部を有し、前記ホーンの開口部は前記平面表示機器前面の左右及び上下の少なくとも一方に隣接して配置したことを特徴とする平面表示機器用スピーカ装置。
【請求項１１】
請求項１に記載の平面表示機器用スピーカ装置において、
前記平面表示機器の背面側における前記ホーンの外面に前記スピーカユニットを取り付け、該スピーカユニットを囲む筐体を前記平面表示機器の背面側における前記ホーン外面に設けたことを特徴とする平面表示機器用スピーカ装置。
【請求項１２】
請求項１〜１１いずれか一項に記載の平面表示機器用スピーカ装置を音声出力手段として有することを特徴とする平面表示装置。
【発明の詳細な説明】
【技術分野】
【０００１】
本願は、各種平面表示機器に使用されるスピーカ装置及び平面表示装置の技術分野に属する。
【背景技術】
【０００２】
近年、ＰＤＰ(Plasma Display Panel)、ＬＣＤ(Liquid Crystal Display)等のような平面表示機器において、設置における機器の占有面積は、可能な限り小さくすることが求められている。また、平面表示機器をコーナーに設置する場合には、平面表示機器全体の横幅の狭さが要求されるため、左右のスピーカ装置がスリムである必要がある。そして、左右のステレオ感を得るためには、平面表示機器の左右にスピーカ装置を配置することが望まれる。
【０００３】
ところで、従来の平面表示機器１は、図１に示すようにスタンド２上に平面パネル３が設置され、この平面パネル３内に映像表示部４が設けられている。また、平面パネル３の左右側面には、それぞれスピーカ装置５，５が隣接して取り付けられ、これらのスピーカ装置５，５は、それぞれ角形の箱状に形成されたスピーカボックス６と、このスピーカボックス６の前面略中心位置に固定されたスピーカユニット７とを備えている。
【０００４】
また、上記のような平面表示機器でないが、表示部の左右側面にスピーカ装置を隣接して取り付けたものとして、従来では、例えば特許文献１に開示されたテレビジョン受像機用スピーカシステムがある。このスピーカシステムにおけるスピーカ装置は、低域用スピーカの前面に設けられた音道と、中高域用スピーカの前面に設けられたホーンとを、外部空間に開口されている共通の音道に合流するように形成したものである。
【特許文献１】実開平５−２０４７５号公報
【発明の開示】
【発明が解決しようとする課題】
【０００５】
ところで、図１に示す従来の平面表示機器１では、平面パネル３の左右側面に幅広のスピーカ装置５，５がそれぞれ隣接して取り付けられていることから、設置における占有面積が大きくなり、コーナー設置には不向きである。
【０００６】
逆に、設置における占有面積を小さくするため、スピーカ装置５，５の横幅を狭くした場合には、スピーカ装置５，５が全体として小さくなり、音質的に問題が発生し、音響変換効率が著しく低下するという不具合がある。したがって、図１に示す従来の平面表示機器１のスピーカ装置５，５では、横幅を狭くし、かつ高音質のものを得るには物理的に困難であるという問題がある。
【０００７】
また、上記特許文献１に開示された発明では、図１に示す従来のスピーカ装置１と同様に、表示部の左右側面に低域用スピーカ及び中高域用スピーカが設置されているため、従来のスピーカ装置１と同様の不具合が生じることになる。
【０００８】
本願は、上記の事情を考慮してなされたもので、その課題の一例は、横幅を狭くしても、音響変換効率を高めることのできる平面表示機器用スピーカ装置及び平面表示装置を提供することにある。
【課題を解決するための手段】
【０００９】
上記課題を解決するために、請求項１に係る平面表示機器用スピーカ装置は、平面表示機器の背面側に配置したスピーカユニットと、前記スピーカユニットから放音された音を取り込む取込口部と、前記平面表示機器前面に隣接した開口部であって、取り込まれた前記音を放音する当該開口部とを有するホーンと、を備えることを特徴とする。
【００１０】
請求項１２に係る平面表示装置は、請求項１〜１１いずれか一項に記載の平面表示機器用スピーカ装置を音声出力手段として有することを特徴とする。
【発明を実施するための最良の形態】
【００１１】
本願に係る平面表示機器用スピーカ装置の各実施形態を図面に基づいて説明する。
【００１２】
（第１実施形態）
まず、第１実施形態における平面表示機器用スピーカ装置の構成について、図２乃至図６を用いて説明する。なお、以下の各実施形態では、スピーカ装置をＰＤＰやＬＣＤ等のような平面表示機器に適用した場合について説明する。また、図２は第１実施形態における平面表示機器用スピーカ装置を示す正面図、図３は図２の背面図、図４は図２の側面図、図５は図２のＶ−Ｖ線による拡大断面図、図６は図３においてホーンの一方を取り外した状態を示す背面図である。ここで、図５の拡大断面図においては、スタンドの図示を省略している。
【００１３】
図２〜図４に示すように、平面表示機器１０は、スタンド１１上に平面パネル１２が設置され、この平面パネル１２内に映像表示部１３が設けられている。また、平面パネル１２の背面には、各種構成機器を内蔵するためのリアボンネット１４が平面パネル１２の背面を覆うように固定されている。
【００１４】
このリアボンネット１４は、図５に示すように横断面略台形に形成され、背面部１４ａと斜面部１４ｂ，１４ｂとが一体に成形されている。そして、背面部１４ａ近傍における各斜面部１４ｂ，１４ｂの内面には、それぞれスピーカ装置１５，１５の一部を構成するスピーカユニット１６，１６が取り付けられている。したがって、スピーカユニット１６，１６は、平面パネル１２の背面に固定されたリアボンネット１４に取り付けられることから、平面表示機器１０の平面パネル１２の背面側に配置されることとなる。
【００１５】
また、各斜面部１４ｂ，１４ｂのスピーカユニット１６，１６の取付部分には、スピーカユニット１６，１６から放音された音を取り込む取込口部１４ｃ，１４ｃがそれぞれ穿設されている。すなわち、スピーカユニット１６，１６は、それぞれホーン１７，１７の一部を構成する取込口部１４ｃ，１４ｃに配置される。そして、スピーカ装置１５，１５は、スピーカユニット１６，１６と、ホーン１７，１７とを備えて構成される。
【００１６】
これらのホーン１７，１７は、平面パネル１２前面の左右に隣接して開口するように配置され、その各開口部１８，１８が図２に示すようにスリット状に形成され、取込口部１４ｃから取り込まれた音を放音する。これらのホーン１７，１７は、それぞれ図３に示すように背面がスピーカユニット１６，１６の取付部分から平面パネル１２前面の左右まで徐々に断面積が大きくなるように三角状に形成され、全体として略三角形の箱状に形成され、平面表示機器１０の背面側に形成されている。
【００１７】
本実施形態では、ホーン１７，１７が略三角形の箱状に形成され、ホーン１７，１７をそれぞれ覆うリアボンネット１４の斜面部１４ｂ，１４ｂがユニットとしてのホーンユニットの一部の面を形成している。また、リアボンネット１４の背面には、図３及び図６に示すように各種の端子部１９が取り付けられている。さらに、ホーン１７，１７は、リアボンネット１４に対して取外し可能に構成され、図６はホーン１７，１７の一方をリアボンネット１４から取り外した状態を示している。
【００１８】
次に、本実施形態におけるスピーカ装置１５，１５の作用を説明する。
【００１９】
図５に示すように、まずリアボンネット１４の背面部１４ａ近傍における斜面部１４ｂ，１４ｂの内面にそれぞれ取り付けられたスピーカユニット１６，１６から放音した音が取込口部１４ｃ，１４ｃを通してそれぞれＡ方向に放音され、これらの音はホーン１７，１７とリアボンネット１４の斜面部１４ｂ，１４ｂとの空間をそれぞれＢ方向に通過し、平面パネル１２前面の左右に隣接して開口する各開口部１８，１８からＣ方向に放音され、これによりスピーカ装置１５，１５の各前面から放音されることになる。
【００２０】
ここで、本実施形態のようなホーンではなく、筒状体とした場合には、特定の共振周波数が発生し、また音響変換効率が低下し、音が小さくなる。これに対し、本実施形態のようなホーン１７，１７では、共振周波数が分散して特定の共振周波数を持ちにくくなり、また音響変換効率が高まり、音が大きくなる。
【００２１】
また、本実施形態では、スピーカユニット１６，１６を平面表示機器１０の平面パネル１２の背面側に配置したことにより、図１のようにスピーカユニットを取り付けるために平面表示機器１０の横幅を広くする必要がなくなることとなる。加えて、本実施形態では、ホーン１７，１７の各開口部１８，１８をスリット状に形成して横幅を狭くしたにも拘らず、平面表示機器１０の背面に設けられたホーン１７，１７によって、所定の開口面積を維持しつつ、音響変換効率を高めるようにしたものである。
【００２２】
このように本実施形態によれば、スピーカ装置１５，１５は、平面表示機器１０の平面パネル１２の背面側に配置したスピーカユニット１６，１６と、これらのスピーカユニット１６，１６から放音された音を取り込む取込口部１４ｃ，１４ｃと平面表示機器１０前面に隣接した開口部１８，１８であって、取り込まれた音を放音する開口部１８，１８とを有するホーン１７，１７とを備えることにより、横幅を狭くしても、平面表示機器１０の背面に設けられたホーン１７，１７によって、音響変換効率を高めることができる。これにより、平面表示機器１０の占有面積を小さくすることができ、平面表示機器１０のコーナー設置の場合にも適用可能である。そして、音響変換効率が高くなることで、高音質のスピーカ装置１５，１５を得ることができる。
【００２３】
また、本実施形態によれば、ホーン１７，１７の各開口部１８，１８をスリット状に形成したことにより、スピーカ装置１５，１５を含めた平面表示機器１０の横幅をより狭くしたにも拘らず、所定の開口面積を維持しつつ、音響変換効率を高めることができる。そして、本実施形態によれば、ホーン１７，１７の各開口部１８，１８を平面表示機器１０の前面の左右に配置したので、ステレオ感を得ることができる。
【００２４】
さらに、本実施形態によれば、スピーカユニット１６，１６をリアボンネット１４の背面部１４ａ近傍における斜面部１４ｂ，１４ｂの内面にそれぞれ取り付けたので、平面表示機器１０の奥行きを短くすることができ、その結果、平面表示機器１０の占有面積を一段と小さくすることができる。
【００２５】
また、本実施形態によれば、リアボンネット１４の斜面部１４ｂ，１４ｂは、それぞれのホーン１７，１７の一部を形成していることから、ホーン１７，１７の製造コストを削減することができる。
【００２６】
なお、本実施形態では、リアボンネット１４の斜面部１４ｂ，１４ｂをホーン１７，１７の一部としたが、これに限らず、リアボンネット１４の斜面部１４ｂ，１４ｂと分離して別成型によりホーンを形成するようにしてもよい。
【００２７】
（第２実施形態）
図７は、第２実施形態における平面表示機器用スピーカ装置を示す正面図である。なお、以下の各実施形態では、前記第１実施形態と同一または対応する部分に同一の符号を付して説明する。また、スピーカ装置は、左右同一の構成であるため、以下の説明では、一方のスピーカ装置のみについて説明する。
【００２８】
第２実施形態のスピーカ装置１５Ａでは、図７に示すようにホーン１７Ａの他端に形成された開口部１８Ａは、平面パネル１２前面隅角部近傍の上下に隣接して４つ開口するように配置されている。これらの開口部１８Ａは、それぞれ薄形に形成されている。そして、第１実施形態と同様に平面パネル１２の背面側には、図示しないスピーカユニットが配置されている。
【００２９】
このように第２実施形態によれば、ホーン１７Ａを平面表示機器１０の背面に設け、ホーン１７Ａの開口部１８Ａを平面表示機器１０前面の上下に隣接して配置したことにより、音響変換効率を高めるとともに、横幅を一段と狭くすることができる。これにより、平面表示機器１０の占有面積をさらに小さくすることができる。その他の構成及び作用は、前記第１実施形態と同様であるので、その説明を省略する。以下の各実施形態も同様である。
【００３０】
（第２実施形態の変形例）
図８は、第２実施形態の変形例における平面表示機器用スピーカ装置を示す正面図である。
【００３１】
この変形例は、前記第２実施形態の構成に加えて、サラウンドシステムのセンタースピーカを設けた構成である。なお、この図８ではそのセンタースピーカのみを図示した図面となっており、上記各実施形態における左右のスピーカは図示していない。
【００３２】
図８に示すように、平面表示機器１０の背面中央部には、センタースピーカのスピーカユニット１６を配置し、１つの取込口部１４ｃから平面表示機器１０の上下方向に２つのホーン１７Ａ，１７Ａが延びて、その開口部１８Ａ，１８Ａを平面表示機器１０の上下に隣接して開口するように配置した構成となっている。
【００３３】
したがって、この変形例によれば、センタースピーカの音場が平面表示機器１０の画面の中央に一致し、視聴者に臨場感を与える構成となっている。
【００３４】
また、スピーカユニット１６を平面表示機器１０の背面中央部に配置したことにより、上下に延びる２つのホーン１７Ａ，１７Ａが同一の長さに形成されるので、１つのセンタースピーカのスピーカユニット１６から発せられた音も上下の開口部１８Ａ，１８Ａで遅延が生じることなく、外部に放音することができる。
【００３５】
なお、この変形例では、ホーン１７Ａ，１７Ａが平面表示機器１０の上下方向に延びて、開口部１８Ａ，１８Ａが平面表示機器１０の上下に設けられた構成となっているが、この構成に限らずホーン１７Ａ，１７Ａを平面表示機器１０の左右方向に延ばし、開口部１８Ａ，１８Ａを平面表示機器１０の左右に配置した構成でも同様の効果が得られる。
【００３６】
（第３実施形態）
図９は、第３実施形態における平面表示機器用スピーカ装置の要部を示す拡大断面図である。
【００３７】
第３実施形態のスピーカ装置１５Ｂでは、図９に示すようにリアボンネット１４の背面部１４ａ近傍における斜面部１４ｂの内面に、スピーカ装置１５Ｂの一部を構成する低域用のスピーカユニット１６Ａが取り付けられているとともに、ホーン１７Ｂの外面にスピーカユニット１６Ａと対向するように中高域用のスピーカユニット１６Ｂが取り付けられている。
【００３８】
このように第３実施形態によれば、リアボンネット１４の内面に低域用のスピーカユニット１６Ａを取り付け、ホーン１７Ｂの外面に中高域用のスピーカユニット１６Ｂを取り付けたことにより、前記第１実施形態の効果に加え、低域用の音道と中高域用の音道とを合流させることができる。
【００３９】
なお、図示しないが、リアボンネット１４の内面に中高域用のスピーカユニット１６Ｂを取り付け、ホーン１７Ｂの外面に低域用のスピーカユニット１６Ａを取り付けるような構成としても上記と同様の効果を得ることができる。
【００４０】
（第４実施形態）
図１０は、第４実施形態における平面表示機器用スピーカ装置の要部を示す拡大断面図である。
【００４１】
第４実施形態のスピーカ装置１５Ｃでは、図１０に示すようにスピーカユニット１６Ｃをリアボンネット１４の内面に取り付けることなく、ホーン１７Ｃの一端外面に取り付けている。
【００４２】
このように第４実施形態によれば、スピーカユニット１６Ｃをホーン１７Ｃの一端外面に取り付けるようにしても、前記第１実施形態と略同様の効果が得られる。
【００４３】
（第５実施形態）
図１１は、第５実施形態における平面表示機器用スピーカ装置の要部を示す拡大断面図である。
【００４４】
第５実施形態のスピーカ装置１５Ｄでは、図１１に示すように平面表示機器１０の背面側におけるホーン１７Ｄの外部面にスピーカユニット１６Ｄを取り付け、そのスピーカユニット１６Ｄを囲むように、ホーン１７Ｄの外部面にエンクロージャとなる筐体２０を設けた構成となっている。
【００４５】
このように本実施形態によれば、上記各実施形態の効果に加えて、この筐体２０によって低音特性を更に改善できる効果を有する。
【００４６】
なお、本願に係る平面表示装置は、上記各実施形態及び変形例に記載のスピーカ装置を音声出力手段として有している。これにより、平面表示装置の占有面積を小さくすることができ、平面表示装置をコーナーに設置する場合にも適用可能である。
【図面の簡単な説明】
【００４７】
【図１】従来の平面表示機器を示す正面図である。
【図２】第１実施形態における平面表示機器用スピーカ装置を示す正面図である。
【図３】図２の背面図である。
【図４】図２の側面図である。
【図５】図２のＶ−Ｖ線による拡大断面図である。
【図６】図３においてホーンの一方を取り外した状態を示す背面図である。
【図７】第２実施形態における平面表示機器用スピーカ装置を示す正面図である。
【図８】第２実施形態の変形例における平面表示機器用スピーカ装置を示す正面図である。
【図９】第３実施形態における平面表示機器用スピーカ装置の要部を示す拡大断面図である。
【図１０】第４実施形態における平面表示機器用スピーカ装置の要部を示す拡大断面図である。
【図１１】第５実施形態における平面表示機器用スピーカ装置の要部を示す拡大断面図である。
【符号の説明】
【００４８】
１０：平面表示機器スピーカ装置
１２：平面パネル
１３：映像表示部
１４：リアボンネット
１４ｃ：取込口部
１５：スピーカ装置
１６：スピーカユニット
１７：ホーン
１８：開口部
【図１】
2006237826.tif 000003
【図２】
2006237826.tif 000004
【図３】
2006237826.tif 000005
【図４】
2006237826.tif 000006
【図５】
2006237826.tif 000007
【図６】
2006237826.tif 000008
【図７】
2006237826.tif 000009
【図８】
2006237826.tif 000010
【図９】
2006237826.tif 000011
【図１０】
2006237826.tif 000012
【図１１】
2006237826.tif 000013